(57)【要約】  本発明は通信分野に関し、ユーザ装置がスケジューリング制御チャネルに対してブラインド検出を行う際の低効率及び過度の電力消費の問題を解決するために、データ伝送方法及び装置を開示する。具体的な解決策は、第１の装置が、スケジューリング制御チャネル長情報を受信するステップと、第１の装置が、所定の探索空間において、スケジューリング制御チャネル長情報に従って、ブラインド検出を実行するステップと、スケジューリング制御チャネル長情報に対応するスケジューリング制御チャネルを検出した後、第１の装置が、スケジューリング制御チャネルで搬送されるリソース割当情報を取得するステップと、である。本発明はデータ伝送に適用される。
2017525237.tif 000002
【特許請求の範囲】
【請求項１】
データ伝送装置であって、
スケジューリング制御チャネル長情報を受信するように構成される受信ユニットであって、前記スケジューリング制御チャネル長情報は、スケジューリング制御チャネルによって占用される物理リソース単位の数を含み、前記スケジューリング制御チャネルは、前記データ伝送装置にリソース割当情報が送信される用いられる制御チャネルである、受信ユニットと、
所定の探索空間において、前記受信ユニットによって受信された前記スケジューリング制御チャネル長情報に従って、ブラインド検出を実行し、前記スケジューリング制御チャネル長情報に対応する前記スケジューリング制御チャネルを検出した後、前記スケジューリング制御チャネルで搬送される前記リソース割当情報を取得するように構成される処理ユニットであって、前記所定の探索空間は、前記リソース割当情報の搬送に用いられる探索空間である、処理ユニットと、
を備えるデータ伝送装置。
【請求項２】
前記受信ユニットは更に、所定の探索空間構成情報を受信するように構成され、
前記所定の探索空間構成情報は前記所定の探索空間の位置情報を含み、前記所定の探索空間の前記位置情報は、前記所定の探索空間によって占用される時間周波数リソースを示すために用いられる、
請求項１に記載の装置。
【請求項３】
前記受信ユニットによって受信される前記所定の探索空間構成情報は更に、前記所定の探索空間のカテゴリ情報を含み、
前記所定の探索空間の前記カテゴリ情報は、前記所定の探索空間のカテゴリを示すために用いられ、前記所定の探索空間の前記カテゴリは、公衆探索空間、専用探索空間又はグループ専用探索空間を含む、
請求項２に記載の装置。
【請求項４】
前記受信ユニットによって受信される前記所定の探索空間構成情報が更に、前記所定の探索空間のカテゴリ情報を含み、且つ、前記所定の探索空間の前記カテゴリ情報が、前記所定の探索空間がグループ専用探索空間であることを示すとき、前記所定の探索空間構成情報は更に、所定のサブフレームの識別情報を含み、
前記所定のサブフレームの前記識別情報は、前記スケジューリング制御チャネルを搬送するサブフレームを示すのに用いられ、
前記処理ユニットは更に、前記受信ユニットによって受信された前記所定のサブフレームの前記識別情報に従って、前記所定のサブフレームの前記所定の探索空間において、前記スケジューリング制御チャネル長情報に従って、ブラインド検出を実行するように構成される、
請求項２に記載の装置。
【請求項５】
前記受信ユニットによって受信される前記スケジューリング制御チャネル長情報は、
前記スケジューリング制御チャネルによって占用されるチャネル制御エレメント（ＣＣＥ）の数と、
前記スケジューリング制御チャネルによって占用されるサブキャリアの数と、
前記スケジューリング制御チャネルによって占用される物理シンボルの数と、
前記スケジューリング制御チャネルに対応するスケジューリング制御チャネル長と、
のうちの１つである、
請求項１乃至４のいずれか一項に記載の装置。
【請求項６】
前記処理ユニットは、具体的には、前記所定の探索空間において、前記スケジューリング制御チャネル長情報によって示される、前記スケジューリング制御チャネルによって占用される前記物理リソース単位の数に従って、連続したｋ個の物理リソース単位を１つのスケジューリング制御チャネルとして用い、所定のデスクランブル識別子に従って、前記所定の探索空間内の前記スケジューリング制御チャネルで搬送される前記リソース割当情報をデスクランブルするように構成され、
前記所定のデスクランブル識別子は、前記リソース割当情報に対して実行されるスクランブル処理に対応するデスクランブル識別子であり、ｋは前記スケジューリング制御チャネルによって占用される前記物理リソース単位の数であり、前記所定の探索空間内のｉ番目のスケジューリング制御チャネルで搬送されるリソース割当情報が正確にデスクランブルされた場合、前記リソース割当情報は第１の装置に送信されるリソース割当情報であり、前記ｉ番目のスケジューリング制御チャネルは前記スケジューリング制御チャネルであり、ｉは０よりも大きい整数である、
請求項１乃至４のいずれか一項に記載の装置。
【請求項７】
データ伝送装置であって、
スケジューリング制御チャネル長情報を取得するように構成される処理ユニットであって、前記スケジューリング制御チャネル長情報は、スケジューリング制御チャネルによって占用される物理リソース単位の数を含み、前記スケジューリング制御チャネルは、第１の装置にリソース割当情報が送信されるときに用いられる制御チャネルである、処理ユニットと、
前記処理ユニットによって取得された前記スケジューリング制御チャネル長情報を送信するように構成される送信ユニットと、
を備え、
前記処理ユニットは、取得された前記スケジューリング制御チャネル長情報に従って、前記スケジューリング制御チャネルの長さを構成するように構成され、
前記送信ユニットは、前記処理ユニットが前記スケジューリング制御チャネルの長さ構成を完了した後に、前記第１の装置に前記スケジューリング制御チャネルを送信するように構成される、
データ伝送装置。
【請求項８】
前記送信ユニットは更に、所定の探索空間構成情報を送信するように構成され、
前記所定の探索空間構成情報は所定の探索空間の位置情報を含み、前記所定の探索空間の前記位置情報は、前記所定の探索空間によって占用される時間周波数リソースを示すために用いられる、
請求項７に記載の装置。
【請求項９】
前記送信ユニットによって送信される前記所定の探索空間構成情報は更に、前記所定の探索空間のカテゴリ情報を含み、
前記所定の探索空間の前記カテゴリ情報は、前記所定の探索空間のカテゴリを示すために用いられ、前記所定の探索空間の前記カテゴリは、公衆探索空間、専用探索空間又はグループ専用探索空間を含む、
請求項８に記載の装置。
【請求項１０】
前記処理ユニットによって取得された前記スケジューリング制御チャネル長情報は、
前記スケジューリング制御チャネルによって占用されるチャネル制御エレメント（ＣＣＥ）の数と、
前記スケジューリング制御チャネルによって占用されるサブキャリアの数と、
前記スケジューリング制御チャネルによって占用される物理シンボルの数と、
前記スケジューリング制御チャネルに対応するスケジューリング制御チャネル長と、
のうちの１つである、
請求項７乃至９のいずれか一項に記載の装置。
【請求項１１】
第１の装置が、スケジューリング制御チャネル長情報を受信するステップであって、前記スケジューリング制御チャネル長情報は、スケジューリング制御チャネルによって占用される物理リソース単位の数を含み、前記スケジューリング制御チャネルは、前記第１の装置にリソース割当情報が送信されるときに用いられる制御チャネルである、ステップと、
前記第１の装置が、所定の探索空間において、前記スケジューリング制御チャネル長情報に従って、ブラインド検出を実行するステップと、
前記スケジューリング制御チャネル長情報に対応する前記スケジューリング制御チャネルを検出した後、前記第１の装置が、前記スケジューリング制御チャネルで搬送される前記リソース割当情報を取得するステップであって、前記所定の探索空間は、前記リソース割当情報の搬送に用いられる探索空間である、ステップと、
を含む、データ伝送方法。
【請求項１２】
第１の装置がスケジューリング制御チャネル長情報を受信する前記ステップの前に、
前記第１の装置が、所定の探索空間構成情報を受信するステップであって、前記所定の探索空間構成情報は前記所定の探索空間の位置情報を含み、前記所定の探索空間の前記位置情報は、前記所定の探索空間によって占用される時間周波数リソースを示すために用いられる、ステップ、
を更に含む、請求項１１に記載の方法。
【請求項１３】
前記所定の探索空間構成情報は更に、前記所定の探索空間のカテゴリ情報を含み、
前記所定の探索空間の前記カテゴリ情報は、前記所定の探索空間のカテゴリを示すために用いられ、前記所定の探索空間の前記カテゴリは、公衆探索空間、専用探索空間又はグループ専用探索空間を含む、
請求項１２に記載の方法。
【請求項１４】
前記第１の装置によって受信される前記所定の探索空間構成情報が更に、前記所定の探索空間のカテゴリ情報を含み、且つ、前記所定の探索空間の前記カテゴリ情報が、前記所定の探索空間がグループ専用探索空間であることを示すとき、前記所定の探索空間構成情報は更に、所定のサブフレームの識別情報を含み、前記所定のサブフレームの前記識別情報は、前記スケジューリング制御チャネルを搬送するサブフレームを示すのに用いられ、
前記第１の装置が、所定の探索空間において、前記スケジューリング制御チャネル長情報に従って、ブラインド検出を実行する前記ステップは、
前記第１の装置が、前記所定のサブフレームの前記識別情報に従って、前記所定のサブフレームの前記所定の探索空間において、前記スケジューリング制御チャネル長情報に従って、ブラインド検出を実行するステップ、
を含む、請求項１２に記載の方法。
【請求項１５】
前記スケジューリング制御チャネル長情報は、
前記スケジューリング制御チャネルによって占用されるチャネル制御エレメント（ＣＣＥ）の数と、
前記スケジューリング制御チャネルによって占用されるサブキャリアの数と、
前記スケジューリング制御チャネルによって占用される物理シンボルの数と、
前記スケジューリング制御チャネルに対応するスケジューリング制御チャネル長と、
のうちの１つである、
請求項１１乃至１４のいずれか一項に記載の方法。
【請求項１６】
前記第１の装置が、所定の探索空間において、前記スケジューリング制御チャネル長情報に従って、ブラインド検出を実行する前記ステップは、
前記第１の装置が、前記所定の探索空間において、前記スケジューリング制御チャネル長情報によって示される、前記スケジューリング制御チャネルによって占用される前記物理リソース単位の数に従って、連続したｋ個の物理リソース単位を１つのスケジューリング制御チャネルとして用い、所定のデスクランブル識別子に従って、前記所定の探索空間内の前記スケジューリング制御チャネルで搬送される前記リソース割当情報をデスクランブルするステップであって、前記所定のデスクランブル識別子は、前記リソース割当情報に対して実行されるスクランブル処理に対応するデスクランブル識別子であり、ｋは前記スケジューリング制御チャネルによって占用される前記物理リソース単位の数である、ステップ、
を含み、
前記第１の装置により、前記所定の探索空間内のｉ番目のスケジューリング制御チャネルで搬送されるリソース割当情報が正確にデスクランブルされた場合、前記リソース割当情報は前記第１の装置に送信されるリソース割当情報であり、前記ｉ番目のスケジューリング制御チャネルは前記スケジューリング制御チャネルであり、ｉは０よりも大きい整数である、
請求項１１乃至１４のいずれか一項に記載の方法。
【請求項１７】
第２の装置が、スケジューリング制御チャネル長情報を送信するステップであって、前記スケジューリング制御チャネル長情報は、スケジューリング制御チャネルによって占用される物理リソース単位の数を含み、前記スケジューリング制御チャネルは、第１の装置にリソース割当情報が送信されるときに用いられる制御チャネルである、ステップと、
前記第２の装置が、前記スケジューリング制御チャネル長情報に従って、前記第１の装置に前記スケジューリング制御チャネルを送信するステップと、
を含むデータ伝送方法。
【請求項１８】
第２の装置がスケジューリング制御チャネル長情報を送信する前記ステップの前に、
前記第２の装置が、所定の探索空間構成情報を送信するステップであって、前記所定の探索空間構成情報は所定の探索空間の位置情報を含み、前記所定の探索空間の前記位置情報は、前記所定の探索空間によって占用される時間周波数リソースを示すために用いられる、ステップ、
を更に含む、請求項１７に記載の方法。
【請求項１９】
前記所定の探索空間構成情報は更に、前記所定の探索空間のカテゴリ情報を含み、
前記所定の探索空間の前記カテゴリ情報は、前記所定の探索空間のカテゴリを示すために用いられ、前記所定の探索空間の前記カテゴリは、公衆探索空間、専用探索空間又はグループ専用探索空間を含む、
請求項１８に記載の方法。
【請求項２０】
前記スケジューリング制御チャネル長情報は、
前記スケジューリング制御チャネルによって占用されるチャネル制御エレメント（ＣＣＥ）の数と、
前記スケジューリング制御チャネルによって占用されるサブキャリアの数と、
前記スケジューリング制御チャネルによって占用される物理シンボルの数と、
前記スケジューリング制御チャネルに対応するスケジューリング制御チャネル長と、
のうちの１つである、
請求項１７乃至１９のいずれか一項に記載の方法。
【発明の詳細な説明】
【技術分野】
【０００１】
本発明は通信分野に関し、特に、データ伝送方法及び装置に関する。
【背景技術】
【０００２】
ＬＴＥ（英名：Long  Term  Evolution、略してロングタームエボリューション）通信システムのダウンリンク伝送では、ｅＮＢ（英名：evolved  Node  B、略して進化型基地局）は、一般に、サブフレーム単位のデータ伝送を行う。サブフレーム長は１ミリ秒であり、１つのサブフレームは、物理ダウンリンク共用チャネル（英名：Physical  Downlink  Shared  Channel、略してＰＤＳＣＨ）領域と物理ダウンリンク制御チャネル（英名：Physical  Downlink  Control  Channel、略してＰＤＣＣＨ）領域とを含む。ＰＤＳＣＨは、ｅＮＢによって送信されたデータをユーザ装置に搬送するために用いられ、ＰＤＣＣＨは、ｅＮＢによって送信されたリソース割当情報をユーザ装置に搬送するために用いられる。ＰＤＣＣＨ領域の物理リソースを適切に用いるために、ｅＮＢは、ＰＤＣＣＨ領域を異なるサブ領域に分割する。各サブ領域は探索空間である。
【０００３】
ｅＮＢは、探索空間内のＰＤＣＣＨを用いて、リソース割当情報をユーザ装置に送信する。探索空間内で送信されたリソース割当情報を基地局によって受信するために、ユーザ装置は、探索空間内のＰＤＣＣＨ上でブラインド検出を実行する。ユーザ装置が、ｅＮＢによってユーザ装置に送信されたリソース割当情報を検出した場合、ユーザ装置は該リソース割当情報を受信する。
【０００４】
探索空間では、１つのＰＤＣＣＨが１つのリソース割当情報を搬送する。異なるリソース割当情報の長さは完全に同じではないので、異なるリソース割当情報を搬送する異なるＰＤＣＣＨが占用する物理リソース単位の数、すなわちスケジューリング制御チャネルの長さも完全に同じではない。したがって、ブラインド検出を行う場合、ユーザ装置は、様々な可能なスケジューリング制御チャネル長に応じて探索空間内でブラインド検出を別々に実行するので、これにより、ブラインド検出効率が低くなり、ユーザ装置の電力消費が過度に高くなってしまう。
【発明の概要】
【０００５】
本発明の実施形態は、ユーザ装置のブラインド検出効率を高め、ユーザ装置によりブラインド検出のために消費される電力を低減するための、データ伝送方法及び装置を提供する。
【０００６】
上記の目的を達成するために、本発明の実施形態では以下の技術的解決策を採用する。
【０００７】
第１の態様によれば、データ伝送装置は、
スケジューリング制御チャネル長情報を受信するように構成される受信ユニットであって、スケジューリング制御チャネル長情報は、スケジューリング制御チャネルによって占用される物理リソース単位の数を含み、スケジューリング制御チャネルは、データ伝送装置にリソース割当情報が送信される用いられる制御チャネルである、受信ユニットと、
所定の探索空間において、受信ユニットによって受信されたスケジューリング制御チャネル長情報に従って、ブラインド検出を実行し、スケジューリング制御チャネル長情報に対応するスケジューリング制御チャネルを検出した後、スケジューリング制御チャネルで搬送されるリソース割当情報を取得するように構成される処理ユニットであって、所定の探索空間は、リソース割当情報の搬送に用いられる探索空間である、処理ユニットと、
を備える。
【０００８】
第１の態様に関して、第１の可能な実施方式では、
受信ユニットは更に、所定の探索空間構成情報を受信するように構成される。所定の探索空間構成情報は、所定の探索空間の位置情報を含み、所定の探索空間の位置情報は、所定の探索空間によって占用される時間周波数リソースを示すために用いられる。
【０００９】
第１の態様の第１の可能な実施方式に関して、第２の可能な実施方式では、
受信ユニットによって受信される所定の探索空間構成情報は更に、所定の探索空間のカテゴリ情報を含む。所定の探索空間のカテゴリ情報は、所定の探索空間のカテゴリを示すために用いられる。所定の探索空間のカテゴリは、公衆探索空間、専用探索空間又はグループ専用探索空間を含む。
【００１０】
第１の態様の第１の可能な実施方式に関して、第３の可能な実施方式では、
受信ユニットによって受信される所定の探索空間構成情報が更に、所定の探索空間のカテゴリ情報を含み、所定の探索空間のカテゴリ情報が、所定の探索空間がグループ専用探索空間であることを示すとき、所定の探索空間構成情報は更に、所定のサブフレームの識別情報を含み、所定のサブフレームの識別情報は、スケジューリング制御チャネルを搬送するサブフレームを示すのに用いられ、
処理ユニットは更に、受信ユニットによって受信された所定のサブフレームの識別情報に従って、所定のサブフレームの所定の探索空間において、スケジューリング制御チャネル長情報に従って、ブラインド検出を実行するように構成される。
【００１１】
第１の態様〜第１の態様の第３の可能な実施方式のうちいずれか１つに関して、第４の可能な実施方式では、
受信ユニットによって受信されるスケジューリング制御チャネル長情報は、
スケジューリング制御チャネルによって占用されるチャネル制御エレメント（ＣＣＥ）の数と、
スケジューリング制御チャネルによって占用されるサブキャリアの数と、
スケジューリング制御チャネルによって占用される物理シンボルの数と、
スケジューリング制御チャネルに対応するスケジューリング制御チャネル長と、
のうちの１つである。
【００１２】
第１の態様〜第１の態様の第３の可能な実施方式のうちいずれか１つに関して、第５の可能な実施方式では、
処理ユニットは、具体的には、所定の探索空間において、スケジューリング制御チャネル長情報によって示される、スケジューリング制御チャネルによって占用される物理リソース単位の数に従って、連続したｋ個の物理リソース単位を１つのスケジューリング制御チャネルとして用い、所定のデスクランブル識別子に従って、所定の探索空間内のスケジューリング制御チャネルで搬送されるリソース割当情報をデスクランブルするように構成される。所定のデスクランブル識別子は、リソース割当情報に対して実行されるスクランブル処理に対応するデスクランブル識別子であり、ｋはスケジューリング制御チャネルによって占用される物理リソース単位の数である。所定の探索空間内のｉ番目のスケジューリング制御チャネルで搬送されるリソース割当情報が正確にデスクランブルされた場合、リソース割当情報は第１の装置に送信されるリソース割当情報であり、ｉ番目のスケジューリング制御チャネルはスケジューリング制御チャネルである。ｉは０よりも大きい整数である。
【００１３】
第２の態様によれば、データ伝送装置は、
スケジューリング制御チャネル長情報を取得するように構成される処理ユニットであって、スケジューリング制御チャネル長情報は、スケジューリング制御チャネルによって占用される物理リソース単位の数を含み、スケジューリング制御チャネルは、第１の装置にリソース割当情報が送信されるときに用いられる制御チャネルである、処理ユニットと、
処理ユニットによって取得されたスケジューリング制御チャネル長情報を送信するように構成される送信ユニットと、
を備え、
処理ユニットは、取得されたスケジューリング制御チャネル長情報に従って、スケジューリング制御チャネルの長さを構成するように構成され、
送信ユニットは、処理ユニットがスケジューリング制御チャネルの長さ構成を完了した後に、第１の装置にスケジューリング制御チャネルを送信するように構成される。
【００１４】
第２の態様に関して、第１の可能な実施方式では、
送信ユニットは更に、所定の探索空間構成情報を送信するように構成される。所定の探索空間構成情報は、所定の探索空間の位置情報を含み、所定の探索空間の位置情報は、所定の探索空間によって占用される時間周波数リソースを示すために用いられる。
【００１５】
第２の態様の第１の可能な実施方式に関して、第２の可能な実施方式では、
送信ユニットによって送信される所定の探索空間構成情報は更に、所定の探索空間のカテゴリ情報を含む。所定の探索空間のカテゴリ情報は、所定の探索空間のカテゴリを示すために用いられ、所定の探索空間のカテゴリは、公衆探索空間、専用探索空間又はグループ専用探索空間を含む。
【００１６】
第２の態様〜第２の態様の第２の可能な実施方式に関して、第３の可能な実施方式では、
処理ユニットによって取得されたスケジューリング制御チャネル長情報は、
スケジューリング制御チャネルによって占用されるチャネル制御エレメント（ＣＣＥ）の数と、
スケジューリング制御チャネルによって占用されるサブキャリアの数と、
スケジューリング制御チャネルによって占用される物理シンボルの数と、
スケジューリング制御チャネルに対応するスケジューリング制御チャネル長と、
のうちの１つである。
【００１７】
第３の態様によれば、データ伝送方法は、
第１の装置が、スケジューリング制御チャネル長情報を受信するステップであって、スケジューリング制御チャネル長情報は、スケジューリング制御チャネルによって占用される物理リソース単位の数を含み、スケジューリング制御チャネルは、第１の装置にリソース割当情報が送信されるときに用いられる制御チャネルである、ステップと、
第１の装置が、所定の探索空間において、スケジューリング制御チャネル長情報に従って、ブラインド検出を実行するステップと、
スケジューリング制御チャネル長情報に対応するスケジューリング制御チャネルを検出した後、第１の装置が、スケジューリング制御チャネルで搬送されるリソース割当情報を取得するステップであって、所定の探索空間は、リソース割当情報の搬送に用いられる探索空間である、ステップと、
を含む。
【００１８】
第３の態様に関して、第１の可能な実施方式では、
第１の装置がスケジューリング制御チャネル長情報を受信するステップの前に、本方法は更に、
第１の装置が、所定の探索空間構成情報を受信するステップであって、所定の探索空間構成情報は、所定の探索空間の位置情報を含み、所定の探索空間の位置情報は、所定の探索空間によって占用される時間周波数リソースを示すために用いられる、ステップ、
を含む。
【００１９】
第３の態様の第１の可能な実施方式に関して、第２の可能な実施方式では、
所定の探索空間構成情報は更に、所定の探索空間のカテゴリ情報を含む。所定の探索空間のカテゴリ情報は、所定の探索空間のカテゴリを示すために用いられる。所定の探索空間のカテゴリは、公衆探索空間、専用探索空間又はグループ専用探索空間を含む。
【００２０】
第３の態様の第１の可能な実施方式に関して、第３の可能な実施方式では、
第１の装置によって受信される所定の探索空間構成情報が更に、所定の探索空間のカテゴリ情報を含み、且つ、所定の探索空間のカテゴリ情報が、所定の探索空間がグループ専用探索空間であることを示すとき、所定の探索空間構成情報は更に、所定のサブフレームの識別情報を含み、所定のサブフレームの識別情報は、スケジューリング制御チャネルを搬送するサブフレームを示すのに用いられ、
第１の装置が、所定の探索空間において、スケジューリング制御チャネル長情報に従って、ブラインド検出を実行するステップは、
第１の装置が、所定のサブフレームの識別情報に従って、所定のサブフレームの所定の探索空間において、スケジューリング制御チャネル長情報に従って、ブラインド検出を実行するステップ、
を含む。
【００２１】
第３の態様〜第３の態様の第３の可能な実施方式のうちいずれか１つに関して、第４の可能な実施方式では、
スケジューリング制御チャネル長情報は、
スケジューリング制御チャネルによって占用されるチャネル制御エレメント（ＣＣＥ）の数と、
スケジューリング制御チャネルによって占用されるサブキャリアの数と、
スケジューリング制御チャネルによって占用される物理シンボルの数と、
スケジューリング制御チャネルに対応するスケジューリング制御チャネル長と、
のうちの１つである。
【００２２】
第３の態様〜第３の態様の第３の可能な実施方式のうちいずれか１つに関して、第５の可能な実施方式では、
第１の装置が、所定の探索空間において、スケジューリング制御チャネル長情報に従って、ブラインド検出を実行するステップは、
第１の装置が、所定の探索空間において、スケジューリング制御チャネル長情報によって示される、スケジューリング制御チャネルによって占用される物理リソース単位の数に従って、連続したｋ個の物理リソース単位を１つのスケジューリング制御チャネルとして用い、所定のデスクランブル識別子に従って、所定の探索空間内のスケジューリング制御チャネルで搬送されるリソース割当情報をデスクランブルするステップであって、所定のデスクランブル識別子は、リソース割当情報に対して実行されるスクランブル処理に対応するデスクランブル識別子であり、ｋはスケジューリング制御チャネルによって占用される物理リソース単位の数である、ステップ、
を含み、
第１の装置により、所定の探索空間内のｉ番目のスケジューリング制御チャネルで搬送されるリソース割当情報が正確にデスクランブルされた場合、リソース割当情報は第１の装置に送信されるリソース割当情報であり、ｉ番目のスケジューリング制御チャネルはスケジューリング制御チャネルであり、ｉは０よりも大きい整数である。
【００２３】
第４の態様によれば、データ伝送方法は、
第２の装置が、スケジューリング制御チャネル長情報を送信するステップであって、スケジューリング制御チャネル長情報は、スケジューリング制御チャネルによって占用される物理リソース単位の数を含み、スケジューリング制御チャネルは、第１の装置にリソース割当情報が送信されるときに用いられる制御チャネルである、ステップと、
第２の装置が、スケジューリング制御チャネル長情報に従って、第１の装置にスケジューリング制御チャネルを送信するステップと、
を含む。
【００２４】
第４の態様に関して、第１の可能な実施方式では、
第２の装置がスケジューリング制御チャネル長情報を送信するステップの前に、
第２の装置が、所定の探索空間構成情報を送信するステップであって、所定の探索空間構成情報は、所定の探索空間の位置情報を含み、所定の探索空間の位置情報は、所定の探索空間によって占用される時間周波数リソースを示すために用いられる、ステップ、
を更に含む。
【００２５】
第４の態様の第１の可能な実施方式に関して、第２の可能な実施方式では、
所定の探索空間構成情報は更に、所定の探索空間のカテゴリ情報を含む。所定の探索空間のカテゴリ情報は、所定の探索空間のカテゴリを示すために用いられ、所定の探索空間のカテゴリは、公衆探索空間、専用探索空間又はグループ専用探索空間を含む。
【００２６】
第４の態様〜第４の態様の第２の可能な実施方式に関して、第３の可能な実施方式では、
スケジューリング制御チャネル長情報は、
スケジューリング制御チャネルによって占用されるチャネル制御エレメント（ＣＣＥ）の数と、
スケジューリング制御チャネルによって占用されるサブキャリアの数と、
スケジューリング制御チャネルによって占用される物理シンボルの数と、
スケジューリング制御チャネルに対応するスケジューリング制御チャネルと、
のうちの１つである。
【００２７】
本発明の実施形態で提供されるデータ伝送方法及び装置によれば、最初に第２の装置が第１の装置にスケジューリング制御チャネル長を送信する。よって、第１の装置は、スケジューリング制御チャネル長に従って、所定の探索空間内でブラインド検出を実行するだけでよい。従来技術と比較すると、第１の装置は、別のスケジューリング制御チャネル長に従って、所定の探索空間内でブラインド検出を再度行う必要なしに、リソース割当情報を受信することができる。更に、第２の装置は、グループ専用探索空間を用いて第１の装置にリソース割当情報を送信するとき、第１の装置に所定のサブフレーム識別子を送信する。その結果、第１の装置は、所定のサブフレーム識別子によって示されるサブフレームにおいてのみブラインド検出を行う必要があり、各サブフレームでブラインド検出を行う必要はない。本発明の実施形態で提供されるブラインド検出方法によれば、第１の装置によって実行されるブラインド検出の回数が低減される。それにより、第１の装置のブラインド検出効率が高まり、ブラインド検出により第１の装置によって消費される電力が低減される。
【図面の簡単な説明】
【００２８】
本発明の実施形態又は従来技術における技術的解決策をより明確に説明するために、以下、実施形態を説明するために必要な添付図面を簡潔に紹介する。明らかながら、添付図面は以下の説明において、本発明の一部の実施形態を示すものに過ぎない。当業者であれば、これらの添付図面から創意工夫なく他の図面を更に導出できるであろう。
【図１】本発明の実施形態に係るデータ伝送装置の概略構造図である。
【図２】本発明の実施形態に係る別のデータ伝送装置の概略構造図である。
【図３】本発明の実施形態に係るデータ伝送方法の概略フローチャートである。
【図４】本発明の実施形態に係る別のデータ伝送方法の概略フローチャートである。
【図５】本発明の実施形態に係る更に別のデータ伝送方法の概略フローチャートである。
【発明を実施するための形態】
【００２９】
以下、本発明の実施形態において添付図面を参照しながら、本発明の実施形態における技術的解決策を明確且つ完全に説明する。明らかながら、説明した実施形態は本発明の実施形態の一部に過ぎず、全部ではない。当業者が本発明の実施形態に基づいて創意工夫なく得た他の実施形態は、全て本発明の保護範囲に包含されるものとする。
【００３０】
本発明の実施形態は、データ伝送装置を提供する。図１を参照すると、装置１０１は、受信ユニット１０１１及び処理ユニット１０１２を備える。
【００３１】
受信ユニット１０１１は、スケジューリング制御チャネル長情報を受信するように構成される。スケジューリング制御チャネル長情報は、スケジューリング制御チャネルによって占用される物理リソース単位の数を含み、スケジューリング制御チャネルは、データ伝送装置にリソース割当情報が送信される用いられる制御チャネルである。
【００３２】
処理ユニット１０１２は、所定の探索空間において、スケジューリング制御チャネル長情報に従って、ブラインド検出を実行し、スケジューリング制御チャネル長情報に対応するスケジューリング制御チャネルを検出した後、スケジューリング制御チャネルで搬送されるリソース割当情報を取得するように構成される。所定の探索空間は、リソース割当情報の搬送に用いられる探索空間である。
【００３３】
本発明の本実施形態で提供されるデータ伝送装置によれば、データ伝送装置についての情報が受信される。データ伝送装置の長さに従って所定の探索空間内でブラインド検出を行うことにより、リソース割当情報を受信することができ、別のデータ伝送装置の長さに従って所定の探索空間内で再びブラインド検出を行う必要はない。したがって、データ伝送装置によって実行されるブラインド検出の回数が低減され、よって、データ伝送装置のブラインド検出効率が向上し、データ送信装置によりブラインド検出で消費される電力が低減される。
【００３４】
任意に、受信ユニット１０１１は更に、所定の探索空間構成情報を受信するように構成される。所定の探索空間構成情報は、所定の探索空間の位置情報を含み、所定の探索空間の位置情報は、所定の探索空間によって占用される時間周波数リソースを示すために用いられる。
【００３５】
任意に、受信ユニット１０１１によって受信される所定の探索空間構成情報は更に、所定の探索空間のカテゴリ情報を含む。所定の探索空間のカテゴリ情報は、所定の探索空間のカテゴリを示すために用いられ、所定の探索空間のカテゴリは、公衆探索空間、専用探索空間又はグループ専用探索空間を含む。
【００３６】
任意に、受信ユニット１０１１によって受信される所定の探索空間構成情報が更に、所定の探索空間のカテゴリ情報を含み、且つ、所定の探索空間のカテゴリ情報が、所定の探索空間がグループ専用探索空間であることを示すとき、所定の探索空間構成情報は更に、所定のサブフレームの識別情報を含む。所定のサブフレームの識別情報は、スケジューリング制御チャネルを搬送するサブフレームを示すのに用いられる。
【００３７】
処理ユニット１０１２は更に、受信ユニット１０１１によって受信された所定のサブフレームの識別情報に従って、所定のサブフレームの所定の探索空間において、スケジューリング制御チャネル長情報に従って、ブラインド検出を実行するように構成される。
【００３８】
任意に、受信ユニット１０１１によって受信されるスケジューリング制御チャネル長情報のうちの１つは、以下のうち１つである。スケジューリング制御チャネル長情報は、
スケジューリング制御チャネルによって占用されるチャネル制御エレメント（ＣＣＥ）の数と、
スケジューリング制御チャネルによって占用されるサブキャリアの数と、
スケジューリング制御チャネルによって占用される物理シンボルの数と、
スケジューリング制御チャネルに対応するスケジューリング制御チャネル長と、
のうちの１つである。
【００３９】
任意に、処理ユニット１０１２は、具体的には、所定の探索空間において、スケジューリング制御チャネル長情報によって示される、スケジューリング制御チャネルによって占用される物理リソース単位の数に従って、連続したｋ個の物理リソース単位を１つのスケジューリング制御チャネルとして用い、所定のデスクランブル識別子に従って、所定の探索空間内のスケジューリング制御チャネルで搬送されるリソース割当情報をデスクランブルするように構成される。所定のデスクランブル識別子は、リソース割当情報に対して実行されるスクランブル処理に対応するデスクランブル識別子であり、ｋはスケジューリング制御チャネルによって占用される物理リソース単位の数である。所定の探索空間内のｉ番目のスケジューリング制御チャネルで搬送されるリソース割当情報が正確にデスクランブルされた場合、リソース割当情報は、データ伝送装置に送信されるリソース割当情報であり、ｉ番目のスケジューリング制御チャネルはスケジューリング制御チャネルである。ｉは０よりも大きい整数である。
【００４０】
対応して、図１に示される実施形態の受信ユニットに対応するハードウェアデバイスは受信器であってよく、処理ユニットに対応するハードウェアデバイスはプロセッサであってよい。
【００４１】
本発明の本実施形態で提供されるデータ伝送装置によれば、スケジューリング制御チャネル長情報が受信され、スケジューリング制御チャネル長に従って所定の探索空間内でブラインド検出を行うことにより、リソース割当情報を受信することができる。別のスケジューリング制御チャネル長に従って所定の探索空間内で再びブラインド検出を行う必要はない。したがって、データ伝送装置によって実行されるブラインド検出の回数が低減され、よって、データ伝送装置のブラインド検出効率が向上し、データ送信装置によりブラインド検出で消費される電力が低減される。
【００４２】
本発明の実施形態は、別のデータ伝送装置を提供する。図２を参照すると、装置２０１は、送信ユニット２０１１及び処理ユニット２０１２を備える。
【００４３】
処理ユニット２０１２は、スケジューリング制御チャネル長情報を取得するように構成される。スケジューリング制御チャネル長情報は、スケジューリング制御チャネルによって占用される物理リソース単位の数を含み、スケジューリング制御チャネルは、第１の装置にリソース割当情報が送信されるときに用いられる制御チャネルである。
【００４４】
送信ユニット２０１１は、処理ユニットによって取得されたスケジューリング制御チャネル長情報を送信するように構成される。
【００４５】
処理ユニット２０１２は、取得されたスケジューリング制御チャネル長情報に従って、スケジューリング制御チャネルの長さを構成するように構成される。
【００４６】
送信ユニット２０１１は、処理ユニット２０１２がスケジューリング制御チャネルの長さ構成を完了した後に、第１の装置にスケジューリング制御チャネルを送信するように構成される。
【００４７】
本発明の本実施形態で提供されるデータ伝送装置によれば、第１の装置にスケジューリング制御チャネル長情報が送信される。第１の装置は、スケジューリング制御チャネル長に従って所定の探索空間内でブラインド検出を行うことにより、リソース割当情報を受信することができ、別のスケジューリング制御チャネル長に従って所定の探索空間内で再びブラインド検出を行う必要はない。したがって、第１の装置によって実行されるブラインド検出の回数が低減され、よって、第１の装置のブラインド検出効率が向上し、第１の装置によりブラインド検出で消費される電力が低減される。
【００４８】
任意に、送信ユニット２０１１は更に、所定の探索空間構成情報を送信するように構成される。所定の探索空間構成情報は、所定の探索空間の位置情報を含み、所定の探索空間の位置情報は、所定の探索空間によって占用される時間周波数リソースを示すために用いられる。
【００４９】
任意に、送信ユニット２０１１によって送信される所定の探索空間構成情報は更に、所定の探索空間のカテゴリ情報を含む。所定の探索空間のカテゴリ情報は、所定の探索空間のカテゴリを示すために用いられ、所定の探索空間のカテゴリは、公衆探索空間、専用探索空間又はグループ専用探索空間を含む。
【００５０】
任意に、処理ユニット２０１２によって取得されたスケジューリング制御チャネル長情報は、
スケジューリング制御チャネルによって占用されるチャネル制御エレメント（ＣＣＥ）の数と、
スケジューリング制御チャネルによって占用されるサブキャリアの数と、
スケジューリング制御チャネルによって占用される物理シンボルの数と、
スケジューリング制御チャネルに対応するスケジューリング制御チャネル長と、
のうちの１つである。
【００５１】
対応して、図２に示される実施形態の受信ユニットに対応するハードウェアデバイスは受信器であってよく、処理ユニットに対応するハードウェアデバイスはプロセッサであってよい。
【００５２】
本発明の本実施形態で提供されるデータ伝送装置によれば、第１の装置にスケジューリング制御チャネル長情報が送信される。第１の装置は、スケジューリング制御チャネル長に従って所定の探索空間内でブラインド検出を行うことにより、リソース割当情報を受信することができ、別のスケジューリング制御チャネル長に従って所定の探索空間内で再びブラインド検出を行う必要はない。したがって、第１の装置によって実行されるブラインド検出の回数が低減され、よって、第１の装置のブラインド検出効率が向上し、第１の装置によりブラインド検出で消費される電力が低減される。
【００５３】
本発明の実施形態は、無線通信分野に適用されるデータ伝送方法を提供する。ここでは、説明のために例としてＬＴＥ無線通信システムを用いる。しかしながらこれは、本発明の本実施形態で提供される方法がＬＴＥ無線通信システムのみに適用可能であることを意味するものではない。図３を参照すると、本方法は以下のステップを含む。
【００５４】
３０１：第１の装置が、スケジューリング制御チャネル長情報を受信する。
【００５５】
スケジューリング制御チャネル長情報は、スケジューリング制御チャネルによって占用される物理リソース単位の数を含む。スケジューリング制御チャネルは、第１の装置にリソース割当情報が送信されるときに用いられる制御チャネルである。
【００５６】
適用シナリオにおいて、第１の装置は携帯電話である。第１の装置は、基地局によって送信されるスケジューリング制御チャネル長情報を受信してよい。スケジューリング制御チャネルは、基地局により携帯電話に送信される物理ダウンリンク制御チャネル（ＰＤＣＣＨ，Physical  downlink  control  channel）であってよく、或いは、別の携帯電話により携帯電話に送信されるスケジューリング割当て（Scheduling  assignment）であってよい。本実施形態では、例示的な説明のためにスケジューリング制御チャネルとしてＰＤＣＣＨを用いる。
【００５７】
ＬＴＥ通信システムのダウンリンク伝送において、基地局は一般に、サブフレーム単位でデータ伝送を行う。１つのサブフレームは、時間ドメイン及び周波数ドメインに複数の物理リソース単位を含み、これらの物理リソース単位は、ＰＤＣＣＨ領域とＰＤＳＣＨ領域との２つの部分に分割される。
【００５８】
ＰＤＣＣＨ領域は更に、異なるサブ領域に分割されてもよい。各サブ領域は１つの探索空間であり、異なるタイプのリソース割当情報を搬送するために異なる探索空間が用いられてよい。基地局は、ＰＤＣＣＨ領域内の特定の探索空間の位置を構成してよい。
【００５９】
適用シナリオにおいて、基地局は、ユーザ装置にデータを送信する際に、ユーザ装置にＰＤＳＣＨを割り当ててデータを搬送すると共に、探索空間において、ユーザ装置にＰＤＣＣＨを割り当ててリソース割当情報を搬送する。任意に、リソース割当情報は、以下のうち少なくとも１つを含んでよい。第１に、データを送信するために用いられるリソースの位置を示す情報（例えば、データ送信のために占用されるリソースに対応する物理リソースブロックの位置インデックスや、データ送信のために占用されるリソースに対応する物理リソースブロックグループの位置インデックス）である。第２に、データを送信するために用いられるリソースのフォーマットを示す情報（例えば、変調符号化方式、ＢＰＳＫ（Binary  Phase  Shift  Keying、二位相偏移変調）、ＱＰＳＫ（Quadrature  Phase  Shift  Keying、四位相偏移変調）、直交位相シフトキーイング（Quadrature  Phase  Shift  Keying）、１６ＱＡＭ（Quadrature  Amplitude  Modulation、直交振幅変調）、６４ＱＡＭ）である。ユーザ装置は、リソース割当情報に従って、ユーザ装置に割り当てられたＰＤＳＣＨからデータを受信する。異なるリソース割当情報の長さは完全に同じではないので、異なるリソース割当情報を搬送する異なるＰＤＣＣＨによって占用される物理リソース単位の数も完全に同じではない。ＰＤＣＣＨによって占用される物理リソース単位の数は、ＰＤＣＣＨのスケジューリング制御チャネル長と呼ばれる。
【００６０】
本実施形態では、第１の装置は、スケジューリング制御チャネル長情報を受信し、スケジューリング制御チャネル長情報に従ってスケジューリング制御チャネル長を決定する。第１の装置が基地局によって送信されたリソース割当情報を受信したとき、第１の装置は、基地局が第１の装置にリソース割当情報を送信するときに用いられるＰＤＣＣＨの長さとして、スケジューリング制御チャネル長を用いる。
【００６１】
３０２：第１の装置が、所定の探索空間において、スケジューリング制御チャネル長情報に従って、ブラインド検出を実行する。
【００６２】
第１の装置は、基地局が所定の探索空間においてユーザ装置にリソース割当情報を送信したか否かを判定することができないので、第１の装置は、基地局が所定の探索空間においてユーザ装置にリソース割当情報を送信したとき、所定の探索空間において、リソース割当情報の具体的な場所を決定することもできない。したがって、第１の装置は、所定の探索空間内でブラインド検出を実行することで、基地局によりユーザ装置に送信されたリソース割当情報を受信する。
【００６３】
基地局は、リソース割当情報をユーザ装置に送信する際に、リソース割当情報を標識してよい。第１の装置がブラインド検出中に標識を検出した場合、それは、リソース割当情報が、基地局により第１の装置に送信されたリソース割当情報であることを意味する。したがって、第１の装置は、リソース割当情報によって示されるＰＤＳＣＨからデータを受信する。第１の装置がリソース割当情報の標識を検出しない場合、第１の装置はデータを受信しない。
【００６４】
従来技術では、第１の装置は、様々な可能なスケジューリング制御チャネル長に従って、所定の探索空間内でブラインド検出を実行する。本発明の実施形態で提供されるブラインド検出方法によれば、最初に基地局が第１の装置にスケジューリング制御チャネル長を送信する。よって、第１の装置は、第１の装置によって送信されたスケジューリング制御チャネル長のみに従って、所定の探索空間内でブラインド検出を実行することにより、リソース割当情報を受信することができ、別のスケジューリング制御チャネル長に従って所定の探索空間内で再びブラインド検出を行う必要はない。したがって、第１の装置によって実行されるブラインド検出の回数が低減され、よって、第１の装置のブラインド検出効率が向上し、第１の装置によりブラインド検出で消費される電力が低減される。
【００６５】
本発明の実施形態は、別のデータ伝送方法を提供する。図４を参照すると、本方法は以下のステップを含む。
【００６６】
４０１：第２の装置が、スケジューリング制御チャネル長情報を送信する。
【００６７】
スケジューリング制御チャネル長情報は、スケジューリング制御チャネルによって占用される物理リソース単位の数を含む。スケジューリング制御チャネルは、第１の装置にリソース割当情報が送信されるときに用いられる制御チャネルである。
【００６８】
適用シナリオにおいて、第２の装置は基地局であり、第１の装置は携帯電話である。スケジューリング制御チャネルは、基地局により携帯電話に送信されるＰＤＣＣＨであってよく、或いは、別の携帯電話により携帯電話に送信されるスケジューリング割当てであってよい。本実施形態では、例示的な説明のためにスケジューリング制御チャネルとしてＰＤＣＣＨを用いる。
【００６９】
第２の装置は、スケジューリング制御チャネル長情報を用いて、第１の装置に、リソース割当情報を搬送するために必要なＰＤＣＣＨの長さを送る。よって、第１の装置は、スケジューリング制御チャネル長情報に従ってスケジューリング制御チャネル長を決定し、所定の探索空間でブラインド検出を実行する。
【００７０】
４０２：第２の装置が、スケジューリング制御チャネル長情報に従って、第１の装置にスケジューリング制御チャネルを送信する。
【００７１】
第２の装置は、第１の装置にリソース割当情報を送信するとき、スケジューリング制御チャネル長に従ってＰＤＣＣＨを第１の装置に割り当てる。すなわち、ＰＤＣＣＨの長さはスケジューリング制御チャネル長である。
【００７２】
本発明の本実施形態で提供されるデータ伝送方法によれば、最初に基地局が第１の装置にスケジューリング制御チャネル長を送信し、次に第１の装置にリソース割当情報を送信する。リソース割当情報によって占用されるＰＤＣＣＨの長さは、スケジューリング制御チャネル長である。このように第１の装置は、スケジューリング制御チャネル長に従って、スケジューリング制御チャネルの位置する探索空間内でブラインド検出を実行するだけでよく、別のスケジューリング制御チャネル長に従って、スケジューリング制御チャネルの位置する探索空間内で再びブラインド検出を実行する必要はない。したがって、第１の装置によって実行されるブラインド検出の回数が低減され、よって、第１の装置のブラインド検出効率が向上し、第１の装置によりブラインド検出で消費される電力が低減される。
【００７３】
本発明の実施形態は、ＬＴＥ無線通信システムに適用される更に別のデータ伝送方法を提供する。本実施形態では、第２の装置はｅＮＢであり、第１の装置は携帯電話である。図５を参照すると、本方法は以下のステップを含む。
【００７４】
５０１：第２の装置が、所定の探索空間構成情報を送信する。
【００７５】
任意に、所定の探索空間構成情報は、所定の探索空間の位置情報と、所定の探索空間のカテゴリ情報とを含む。所定の探索空間の位置情報は、所定の探索空間によって占用される時間周波数リソースを示すために用いられ、所定の探索空間のカテゴリ情報は、所定の探索空間のカテゴリを示すために用いられる。具体的には、任意に、第１の装置は基地局であってよい。
【００７６】
所定の探索空間の位置は、ＰＤＣＣＨ領域内の所定の探索空間の位置である。所定の探索空間の位置情報は、所定の探索空間によって占用される周波数ドメイン又は時間ドメインのリソース、例えば所定の探索空間によって占用される周波数ドメインの帯域幅やサブキャリアであってよい。
【００７７】
任意に、所定の探索空間のカテゴリは、公衆探索空間であってよい。公衆探索空間において第２の装置によって送信されるリソース割当情報は、セル内のユーザ装置によって正しく受信されることができる。更に任意に、第２の装置は、所定の探索空間の位置情報としてセルのダウンリンク帯域幅情報を用い、その位置情報をユーザ装置に送信する。
【００７８】
任意に、所定の探索空間のカテゴリは専用探索空間であってよい。専用探索空間内の各リソース割当情報は、特定のユーザ装置のみで正しく受信することができる。更に任意に、第２の装置は、所定の探索空間の位置情報としてセル無線ネットワーク一時識別子を用い、その位置情報をユーザ装置に送信する。
【００７９】
任意に、第２の装置は、システムブロードキャスト又は専用メッセージを用いて、第２の装置によってカバーされる領域内のユーザ装置に探索空間構成情報を送信する。
【００８０】
５０２：第２の装置が、スケジューリング制御チャネル長情報を送信する。
【００８１】
スケジューリング制御チャネル長情報は、スケジューリング制御チャネルによって占用される物理リソース単位の数を含む。スケジューリング制御チャネルは、第１の装置にリソース割当情報が送信されるときに用いられる制御チャネルである。スケジューリング制御チャネルは、第２の装置により第１の装置に送信されるＰＤＣＣＨであってよく、或いは、第１の装置以外の別の端末装置により第２の装置に送信されるスケジューリング割当てであってよい。本実施形態では、例示的な説明のために、スケジューリング制御チャネルとしてＰＤＣＣＨが用いられる。
【００８２】
物理リソース単位は複数の形式を有することができるので、対応するＰＤＣＣＨ長も複数の形式を有する。
【００８３】
任意に、スケジューリング制御チャネル長は、
スケジューリング制御チャネルによって占用されるＣＣＥ（チャネル制御エレメント、Channel  Control  Element）の数と、
スケジューリング制御チャネルによって占用されるサブキャリアの数と、
スケジューリング制御チャネルによって占用される物理シンボルの数と、
スケジューリング制御チャネルに対応するスケジューリング制御チャネル長と、
のうちの１つであってよい。
【００８４】
本発明では、具体的な物理リソースの形式は限定されない。本実施形態では、説明のための例としてチャネル制御エレメントのみを用いる。
【００８５】
第２の装置により第１の装置に送信される所定の探索空間構成情報によって示される探索空間カテゴリが公衆探索空間である場合、第２の装置はシステムブロードキャストにより、第１の装置にスケジューリング制御チャネル長情報を送信してよい。
【００８６】
第２の装置により第１の装置に送信される所定の探索空間構成情報によって示される探索空間カテゴリが専用探索空間である場合、第２の装置は、専用メッセージを用いて、携帯電話にスケジューリング制御チャネル長情報を送信してよい。
【００８７】
５０３：第２の装置が、第１の装置に所定のデスクランブル識別子を送信する。
【００８８】
所定のデスクランブル識別子は、第２の装置によりリソース割当情報に対して実行されるスクランブル処理に対応するデスクランブル識別子である。
【００８９】
基地局すなわち第２の装置は、所定の探索空間において、ユーザ装置すなわち第１の装置にＰＤＣＣＨを割り当てて、リソース割当情報を搬送する。所定の探索空間は、異なるユーザ装置すなわち異なる第１の装置に送信されるリソース割当情報を搬送するために、複数のＰＤＣＣＨを含んでよい。したがって、基地局すなわち第２の装置は、対象となるユーザ装置すなわち対象となる第１の装置にリソース割当情報を送信するとき、情報を標識する。よって、対象のユーザ装置すなわち第１の装置はリソース割当情報を正しく受信することができ、対象でないユーザ装置すなわち対象でない第１の装置は、リソース割当情報を正しく受信することができない。
【００９０】
任意に、第２の装置は、リソース割当情報に対してスクランブル処理を実行し、対応するデスクランブル識別子を所定のデスクランブル識別子として用い、所定のデスクランブル識別子を第１の装置に送信して、第１の装置にリソース割当情報を送信する。このように、第１の装置は、所定のデスクランブル識別子を用いて、スクランブル処理が実行されたリソース割当情報に対してデスクランブル処理を実行し、これによりリソース割当情報を正しく受信することができる。更に任意に、第１の装置に送信される所定のデスクランブル識別子は、第１の装置に関して構成された無線ネットワーク一時識別子であってよい。
【００９１】
任意に、適用シナリオにおいて、第２の装置により第１の装置に送信される所定の探索空間構成情報によって示される探索空間カテゴリが公衆探索空間である場合、リソース割当情報はスクランブルされなくてよく、或いは、リソース割当情報は、統一されたスクランブリング識別子を用いてスクランブルされる。対応するデスクランブル識別子が所定のデスクランブル識別子して用いられ、所定のデスクランブル識別子は、システムブロードキャストによって第１の装置に送信される。
【００９２】
任意に、適用シナリオにおいて、第２の装置により第１の装置に送信される所定の探索空間構成情報によって示される探索空間カテゴリが専用探索空間である場合、専用探索空間内のリソース割当情報が特定の装置（ここでは第１の装置）に送信されるので、第２の装置は、専用メッセージを用いて、第１の装置に所定のデスクランブル識別子を送信してよい。第２の装置が、スクランブル処理が実行されたリソース割当情報を第１の装置に送信するとき、第１の装置のみが所定のデスクランブル識別子を受信するので、第１の装置のみがリソース割当情報を正しくデスクランブルすることができる。
【００９３】
任意に、ステップ５０１，５０２，５０３の間に順序はなく、全ての送信は一度に実行されてもよいし、複数回に分けて実行されてもよい。本発明では、具体的な送信方式は限定されない。
【００９４】
５０４：第１の装置が、所定の探索空間において、スケジューリング制御チャネル長情報に従って、ブラインド検出を実行する。
【００９５】
第１の装置は、第２の装置が所定の探索空間において第１の装置にリソース割当情報を送信したか否かを判定することができないので、第２の装置が所定の探索空間において第１の装置にリソース割当情報を送信した場合、第１の装置は、所定の探索空間内のリソース割当情報の具体的な位置を決定することもできない。したがって、第１の装置は、所定の探索空間内でブラインド検出を実行するときにリソース割当情報を検出した場合に、リソース割当情報によって示されるＰＤＳＣＨからデータを受信する。第１の装置がリソース割当情報の標識を検出しない場合、第１の装置はデータを受信しない。
【００９６】
ここで、ブラインド検出プロセスを例を用いて説明する。
【００９７】
任意に、適用シナリオにおいて、スケジューリング制御チャネル長は１，２，４又は８であってよい。表１を参照すると、１６個のチャネル制御エレメントが５個のＰＤＣＣＨすなわちＡ，Ｂ，Ｃ，Ｄ，Ｅに割り当てられ、これらはそれぞれ４，２，１，１，８のスケジューリング制御チャネル長に対応する。当然ながら、ここではＰＤＣＣＨの１つのチャネル制御エレメントの割当方式のみが列挙されているが、これは本発明がこの方式に限定されることを意味するものではない。
【表１】
2017525237.tif 000003
【００９８】
第１の装置がブラインド検出を実行する必要のある各ＰＤＣＣＨは、１つの候補制御チャネル（Candidate  Control  Channel）である。表１に示されるチャネル制御エレメントの割当方式では、スケジューリング制御チャネル長４に従ってブラインド検出が実行される場合、第１の装置は、０〜３，４〜７，８〜１１，１２〜１５を４つの候補制御チャネルとして用いて、ブラインド検出を実行する。スケジューリング制御チャネル長８に従ってブラインド検出が実行される場合、第１の装置は、０〜７，８〜１５を２つの候補制御チャネルとして用いて、ブラインド検出を実行する。別のスケジューリング制御チャネル長に従ってブラインド検出を実行するプロセスは同じであるので、ここではこれ以上の説明を省略する。
【００９９】
第１の装置が所定の探索空間内でブラインド検出を実行するプロセスは、具体的には以下のとおりである。
【０１００】
第１の装置は、所定の探索空間構成情報によって示される所定の探索空間の初期位置から、スケジューリング制御チャネル長情報によって示される、スケジューリング制御チャネルによって占用される物理リソース単位の数に従って、連続したｋ個の物理リソース単位を１つのＰＤＣＣＨ、すなわち１つの候補制御チャネルとして用い、所定のデスクランブル識別子に従って、候補制御チャネルで搬送されるリソース割当情報をデスクランブルする。ｋは、スケジューリング制御チャネルによって占用される物理リソース単位の数であり、すなわち、第２の装置が第１の装置にリソース割当情報を送信する際に用いられるスケジューリング制御チャネル長である。デスクランブリングが失敗した場合、候補制御チャネルの後の連続したｋ個の物理リソース単位が、ブラインド検出が実行される次のＰＤＣＣＨとして用いられる。以降同様である。
【０１０１】
第１の装置が、所定の探索空間においてｉ番目のＰＤＣＣＨで搬送されるリソース割当情報を正しくデスクランブルした場合、第１の装置は、リソース割当情報によって示されるＰＤＳＣＨからデータを受信する。
【０１０２】
第２の装置がリソース割当情報を送信していない場合、第１の装置は、探索空間内の全ての候補制御チャネルに対してブラインド検出を実行する必要がある。
【０１０３】
任意に、適用シナリオにおいて、第２の装置により第１の装置に送信される探索空間構成情報によって示される探索空間カテゴリは公衆探索空間であり、公衆探索空間の位置は、ＰＤＣＣＨ領域の最初の１６個のチャネル制御エレメントであり、公衆探索空間内のＰＤＣＣＨのスケジューリング制御チャネル長は４又は８であってよい。表２を参照して、４つの候補制御チャネルに対応するスケジューリング制御チャネル長が４である場合、各候補制御チャネルは２つの異なる有効ペイロードを搬送することができるので、候補制御チャネル毎にブラインド検出を２回行う必要があり、４つの候補制御チャネルに対応するブラインド検出の回数は８である。２つの候補制御チャネルに対応するスケジューリング制御チャネル長が８である場合、ブラインド検出の回数は４回である。従来技術のブラインド検出方法によれば、第１の装置は、２つのスケジューリング制御チャネル長４及び８に従ってそれぞれブラインド検出を実行する必要があり、ブラインド検出の回数は１２である。
【表２】
2017525237.tif 000004
【０１０４】
任意に、適用シナリオにおいて、第２の装置により第１の装置に送信される探索空間構成情報によって示される探索空間カテゴリは専用探索空間である。専用探索空間の第１のチャネル制御エレメントの位置は、サブフレーム番号やセル無線ネットワーク一時識別子等のパラメータに応じたハッシュ関数を用いて、計算により求められる。表３を参照して、専用探索空間におけるＰＤＣＣＨのスケジューリング制御チャネル長は１，２，４又は８であってよい。表３に、各スケジューリング制御チャネル長に対応する候補制御チャネルの数と、対応するブラインド検出の回数を示す。本発明の実施形態で提供されるブラインド検出方法によれば、第１の装置は、スケジューリング制御チャネル長すなわち１，２，４，８の１つのみに従ってブラインド検出を実行する必要があり、検出回数は１２又は４である。従来技術のブラインド検出方法によれば、第１の装置は、各スケジューリング制御チャネル長に従ってブラインド検出を行う。ブラインド検出の回数は、全てのスケジューリング制御チャネル長に対応するブラインド検出の回数の合計、すなわち３２である。明らかなように、本発明の実施形態で提供されるブラインド検出方法によれば、第１の装置によって実行されるブラインド検出の回数を低減することができ、よって、第１の装置のブラインド検出効率が向上し、第１の装置によりブラインド検出で消費される電力が低減される。
【表３】
2017525237.tif 000005
【０１０５】
５０５：第２の装置が、スケジューリング制御チャネル長情報に従って、第１の装置にスケジューリング制御チャネルを送信する。
【０１０６】
第２の装置は、第１の装置にリソース割当情報を送信するとき、スケジューリング制御チャネル長に従って、第１の装置にＰＤＣＣＨを送信する。すなわち、ＰＤＣＣＨの長さはスケジューリング制御チャネル長である。
【０１０７】
５０６：第１の装置が、所定の探索空間において、スケジューリング制御チャネル長情報に従って、ブラインド検出を実行する。
【０１０８】
ステップ５０６でブラインド検出を実行する方法は、ステップ５０４のものと同じである。
【０１０９】
５０７：第１の装置が、リソース割当情報を検出した後、所定の探索空間でのブラインド検出を停止する。
【０１１０】
任意に、第１の装置について、所定の探索空間は、第１の装置に送信される１つのリソース割当情報のみを含む。したがって、第１の装置は、所定のＰＤＣＣＨで搬送されるリソース割当情報を探索空間内で正しく受信した後、所定の探索空間内のブラインド検出を停止する。
【０１１１】
ステップ５０４とステップ５０６におけるブラインド検出方法は同じであるが、ブラインド検出の回数は異なってよい。ステップ５０４では、第２の装置が探索空間において第１の装置にリソース割当情報を送信しなかったので、第１の装置は、スケジューリング制御チャネル長に従って、所定の探索空間内の全ての候補制御チャネルに対してブラインド検出を実行する。ステップ５０６では、第２の装置が探索空間において第１の装置にリソース割当情報を送信したので、第１の装置は、リソース割当情報を検出し、リソース割当情報を検出した後にブラインド検出を停止することができる。したがって、ステップ５０４におけるブラインド検出の回数は、ステップ５０６におけるブラインド検出の回数の最大値である。
【０１１２】
本発明の本実施形態で提供されるデータ伝送方法によれば、第２の装置が、所定の探索空間構成情報を送信し、第２の装置が、スケジューリング制御チャネル長情報を送信し、第２の装置が、第１の装置に所定のデスクランブル識別子を送信し、第１の装置が、所定の探索空間において、スケジューリング制御チャネル長情報に従ってブラインド検出を実行し、第２の装置が、スケジューリング制御チャネル長情報に従って、第１の装置にスケジューリング制御チャネルを送信し、第１の装置が、所定の探索空間において、スケジューリング制御チャネル長情報に従って、ブラインド検出を実行し、第１の装置が、リソース割当情報を検出したとき、所定の探索空間でのブラインド検出を停止する。よって、第１の装置は、第２の装置によって送信されたスケジューリング制御チャネル長のみに従って、所定の探索空間内でブラインド検出を行う必要があり、リソース割当情報を受信することができ、別の可能なスケジューリング制御チャネル長に従って所定の探索空間内で再びブラインド検出を行う必要はない。したがって、第１の装置によって実行されるブラインド検出の回数が低減され、よって、第１の装置のブラインド検出効率が向上し、第１の装置によりブラインド検出で消費される電力が低減される。
【０１１３】
本発明の実施形態は、更に別のデータ伝送方法を提供する。第２の装置は基地局であり、第１の装置は携帯電話である。基地局は、グループ方式で携帯電話にリソース割当情報を送信するので、携帯電話によって実行されるブラインド検出の回数を低減し、サブフレーム内の物理リソースの利用効率を高めることができる。本方法は、具体的には以下のステップを含む。
【０１１４】
６０１：第２の装置が、所定の探索空間構成情報を送信する。
【０１１５】
所定の探索空間構成情報は、所定の探索空間の位置情報を含む。所定の探索空間の位置情報は、所定の探索空間によって占用される時間周波数リソースを示すために用いられる。所定の探索空間構成情報によって示される探索空間カテゴリはグループ専用探索空間であり、グループ専用探索空間内の各リソース割当情報は、特定のグループの携帯電話のみが正しく受信することができる。本実施形態では、所定の探索空間としてグループ専用探索空間を用いる。
【０１１６】
基地局は、携帯電話を１つのグループとして、グループ専用探索空間において、グループ全体としてグループにＰＤＣＣＨを割り当て、チャネルを介してリソース割当情報を送信する。このように、１つのＰＤＣＣＨと１つのＰＤＳＣＨのみを占用することにより、リソース割当情報とデータをグループの携帯電話に送信することができ、サブフレーム内の物理リソースの利用効率を高めることができる。
【０１１７】
任意に、ＰＤＣＣＨ領域のグループ専用探索空間の範囲は、実際の状況に応じて構成されてよい。
【０１１８】
任意に、グループ専用探索空間の位置情報は、探索空間に対応する周波数ドメインリソース範囲、例えば、グループ専用探索空間によって占用される周波数ドメイン帯域幅やサブキャリアであってよい。
【０１１９】
適用シナリオにおいて、グループ専用探索空間の構成情報は、グループのセル無線ネットワーク一時識別子と、グループの候補制御チャネルの位置情報とを含む。任意に、グループの候補制御チャネルの位置情報は、グループ専用探索空間の位置する物理リソースブロックの位置であってよい。具体的には、基地局は、グループ専用探索空間の位置する物理リソースブロックの物理リソースブロックインデックスを、グループ内の携帯電話に送信してよい。代替として、グループの候補制御チャネルの位置情報は、グループ専用探索空間の位置するＯＦＤＭ（Orthogonal  Frequency  Division  Multiplexing，直交周波数分割多重）シンボルであってよい。更に、グループの候補制御チャネルの位置情報は、グループ専用探索空間の所定のＰＤＣＣＨのインデックスであってもよい。例えば、グループ専用探索空間が１０個のＰＤＣＣＨを含む場合、インデックスは、１０個のＰＤＣＣＨのうちの１個が所定のＰＤＣＣＨとして用いられることを示す。携帯電話は、スケジューリング制御チャネル長に従って、インデックスによって示される位置でブラインド検出を直接実行する。
【０１２０】
任意に、グループ専用探索空間の構成情報は、グループサービス識別子を更に含む。基地局は、同じサービスを実行する携帯電話をグループとし、グループにリソース割当情報を送信する。本発明では、具体的なグループ分割方式は限定されない。
【０１２１】
任意に、基地局は、専用メッセージを用いて、グループ内の携帯電話にグループ専用探索空間の構成情報を送信してよい。
【０１２２】
６０２：第２の装置が、スケジューリング制御チャネル長情報を送信する。
【０１２３】
任意に、グループ内の全ての携帯電話がグループの所定のＰＤＣＣＨで搬送されるリソース割当情報を正しく受信できるように、基地局は、グループのカバレッジエリアのサイズに従って、グループの所定のＰＤＣＣＨによって必要とされるスケジューリング制御チャネル長を決定してよい。すなわち、特定のカバレッジエリア内の全ての携帯電話が、グループの所定のＰＤＣＣＨで搬送されるリソース割当情報を正しく受信できることが保証される。具体的には、基地局から遠ざかるほど、必要とされるスケジューリング制御チャネル長が長くなることを示す。ここで、基地局から最も遠い携帯電話によって必要とされるスケジューリング制御チャネル長が、スケジューリング制御チャネル長として選択される場合、スケジューリング制御チャネル長を用いて、グループ内の携帯電話にリソース割当情報を送信することができる。
【０１２４】
任意に、基地局は、グループ内の携帯電話の信号品質に従って、グループの所定のＰＤＣＣＨのスケジューリング制御チャネル長を決定してよい。具体的には、信号品質が悪いほど、必要とされるよりスケジューリング制御チャネル長は大きくなる。ここで、信号品質が最悪である携帯電話に必要なスケジューリング制御チャネル長をスケジューリング制御チャネル長として選択する場合、スケジューリング制御チャネル長を用いて、グループ内の各携帯電話にリソース割当情報を送信することができる。この方式では、基地局は予め、グループ内の携帯電話の信号品質状況を推定する必要がある。基地局は、正確な推定のために、携帯電話に信号品質情報を通知するように指示してよい。
【０１２５】
任意に、スケジューリング制御チャネル長は、２つ以上の可能な値から選択される１つの値であってよく、実際の状況に応じて具体的な数字が選択されてよい。適用シナリオにおいて、携帯電話の位置分布や信号品質その他の理由のために、基地局が異なるグループの携帯電話にリソース割当情報を送信するために必要とするスケジューリング制御チャネル長は異なる。１つのスケジューリング制御チャネル長のみを用いる場合、異なるグループがリソース割当情報を正しく受信できるようにするために、スケジューリング制御チャネル長は、複数の可能な値から選択される最大値である必要があり、探索空間内の物理リソースの利用効率が低下するおそれがある。したがって、グループによって異なるスケジューリング制御チャネル長が選択され、単一のスケジューリング制御チャネル長を用いる場合に比べて、探索空間における物理リソースの利用効率を向上させることができる。
【０１２６】
基地局は、スケジューリング制御チャネル長を決定した後、スケジューリング制御チャネル長情報を生成し、スケジューリング制御チャネル長情報をグループ内の携帯電話に送信する。
【０１２７】
６０３：第２の装置が、第１の装置に所定のデスクランブル識別子を送信する。
【０１２８】
基地局は、特定のグループの携帯電話にリソース割当情報を送信する際に、そのリソース割当情報に対してスクランブル処理を実行する。基地局は予めグループ内の携帯電話に所定のデスクランブル識別子を送信し、よって、グループ内の携帯電話がリソース割当情報を正しくデスクランブルすることができる。任意に、所定のデスクランブル識別子は、グループのセル無線ネットワーク一時識別子であってよい。
【０１２９】
任意に、ステップ６０１〜ステップ６０３は順序がなく、全ての送信を一度に行ってもよいし、複数回に分けて送信してもよい。本発明では、具体的な送信方式は限定されない。
【０１３０】
６０４：第１の装置が、所定の探索空間において、スケジューリング制御チャネル長情報に従って、ブラインド検出を実行する。
【０１３１】
具体的には、携帯電話は、スケジューリング制御チャネル長に従って、グループ専用探索空間の構成情報によって示される位置でブラインド検出を実行する。
【０１３２】
６０５：第２の装置が、スケジューリング制御チャネル長情報に従って、第１の装置にスケジューリング制御チャネルを送信する。
【０１３３】
任意に、本実施形態では、第１の装置によって受信される所定の探索空間構成情報が更に、所定の探索空間のカテゴリ情報を含み、所定の探索空間のカテゴリ情報が、所定の探索空間がグループ専用探索空間であることを示し、所定の探索空間構成情報は更に、所定のサブフレームの識別情報を含む。所定のサブフレームの識別情報は、スケジューリング制御チャネルを搬送するサブフレームを示すのに用いられる。具体的には、時分割多重化は、異なるサブフレームの同じ周波数ドメインリソースに対して実行されてよい。すなわち、基地局は、異なるサブフレームの同じ位置のＰＤＣＣＨを、異なるグループの所定のＰＤＣＣＨとして用いてよい。例えば、基地局は、連続した５個のサブフレームを１つのサイクルとし、そのサイクルの各サブフレームのグループ専用探索空間内の同じ位置にあるＰＤＣＣＨを、５つの異なるグループの所定のＰＤＣＣＨとする。基地局は、サイクル内の第１のサブフレームにおいて、第１のグループ内の携帯電話にリソース割当情報を送信し、サイクル内の第２のサブフレームにおいて、第２のグループ内の携帯電話にリソース割当情報を送信する。以降同様である。第１のサイクルが終了した後、基地局は、第２のサイクルにおいて、５つのグループにリソース割当情報を順次送信する。したがって、第１のグループの携帯電話は、１つのサイクルの第１のサブフレームにおいてのみブラインド検出を実行する必要があり、サイクルの５つのサブフレーム全てにおいてブラインド検出を実行する必要はない。同様に、他の４つのグループの携帯電話も、１つのサイクルの１つのサブフレームのみでブラインド検出を実行する必要があり、サイクルの５つのサブフレーム全てにおいてブラインド検出を実行する必要はない。任意に、各サイクルに含まれるサブフレームの数は、実際の状況に応じて構成されてよい。同じ周波数ドメインリソースに対するこのような時分割多重化方式では、グループ内の携帯電話は、各サブフレームにおいてブラインド検出を行う必要はない。したがって、携帯電話によって実行されるブラインド検出の回数が低減され、よって、携帯電話のブラインド検出効率が向上し、携帯電話によりブラインド検出で消費される電力が低減される。
【０１３４】
６０６：第１の装置が、所定の探索空間において、スケジューリング制御チャネル長情報に従って、ブラインド検出を実行する。
【０１３５】
ステップ６０６でブラインド検出を実行する方法は、ステップ６０４のものと同じである。
【０１３６】
６０７：第１の装置が、リソース割当情報を検出した後、所定の探索空間でのブラインド検出を停止する。
【０１３７】
任意に、１つのグループについて、グループ専用探索空間は、そのグループに送信される１つのリソース割当情報のみを含む。したがって、グループ内の携帯電話は、所定のＰＤＣＣＨで搬送されるリソース割当情報を探索空間において正しく受信した後、グループ専用探索空間におけるブラインド検出を停止する。
【０１３８】
ステップ６０４とステップ６０６のブラインド検出方法は同じであるが、ブラインド検出の回数は異なってよい。ステップ６０４では、基地局がグループ専用探索空間において携帯電話にリソース割当情報を送信しなかったので、携帯電話は、スケジューリング制御チャネル長に従って、探索空間内の全ての候補制御信号に対してブラインド検出を実行する。ステップ６０６では、基地局が探索空間において携帯電話にリソース割当情報を送信したので、ユーザは、リソース割当情報を検出し、リソース割当情報を検出した後にブラインド検出を停止することができる。したがって、ステップ６０４におけるブラインド検出の回数は、ステップ６０６におけるブラインド検出の回数の最大値である。
【０１３９】
本発明の本実施形態で提供されるデータ処理方法によれば、基地局は、グループ専用探索空間の構成情報を携帯電話に送信し、グループ内の携帯電話にスケジューリング制御チャネル長情報及び所定のデスクランブル識別子を送信する。基地局は、異なるサブフレームの同じ周波数ドメインリソースに対して時分割多重を実行し、異なるサブフレームにおいて、異なるグループの携帯電話にリソース割当情報を送信する。よって、グループ内の携帯電話は、各サブフレームにおいてブラインド検出を実行する必要がない。したがって、携帯電話によって実行されるブラインド検出の回数が低減され、よって、携帯電話のブラインド検出効率が向上し、携帯電話によりブラインド検出で消費される電力が低減され、また、サブフレームの物理リソースの利用効率も向上する。
【０１４０】
前述の実施形態の説明により、当業者であれば、本発明がハードウェア、ファームウェア又はそれらの組合わせによって実現されてよいことが明らかに理解できるであろう。本発明がソフトウェアによって実現される場合、前述の機能は、コンピュータ可読媒体に格納されてよく、或いは、コンピュータ可読媒体内の１以上の命令又はコードとして伝送されてよい。コンピュータ可読媒体は、コンピュータ記憶媒体及び通信媒体を含む。通信媒体は、コンピュータプログラムをある場所から別の場所に伝送することを可能にする任意の媒体を含む。記憶媒体は、コンピュータにアクセス可能な任意の利用可能な媒体であってよい。以下に例を示すが、限定はない。コンピュータ可読媒体は、ＲＡＭ（Random  Access  Memory、ランダムアクセスメモリ）、ＲＯＭ（Read  Only  Memory、読取専用メモリ）、ＥＥＰＲＯＭ（Electrically  Erasable  Programmable  Read  Only  Memory、電気的消去可能プログラマブル読取専用メモリ、ＣＤ−ＲＯＭ（Compact  Disc  Read  Only  Memory、コンパクトディスク読取専用メモリ）その他の光ディスク記憶装置、ディスク記憶媒体その他の磁気記憶装置、或いは命令又はデータ構造の形で予測されるプログラムコードを搬送若しくは格納することができ、且つコンピュータによってアクセス可能な任意の他の媒体を含んでよい。更に、任意の接続は、コンピュータ可読媒体として適宜定義されてよい。例えば、同軸ケーブル、光ファイバ／ケーブル、ツイストペア、ＤＳＬ（Digital  Subscriber  Line、デジタル加入者線）又は赤外線や無線、マイクロ波等の無線技術を用いて、ウェブサイトやサーバその他の遠隔ソースからソフトウェアを伝送する場合、同軸ケーブル、光ファイバ／ケーブル、ツイストペア、ＤＳＬ又は赤外線や無線、マイクロ波等の無線技術は、それらが属する媒体の固定に含まれる。例えば、本発明に用いられるディスク（disk）及びディスク（disc）は、ＣＤ（Compact  Disc、コンパクトディスク）、レーザディスク、光ディスク、ＤＶＤ（Digital  Versatile  Disc、デジタル多用途ディスク）、フロッピーディスク及びブルーレイディスクを含む。ディスク（disk）は一般に、磁気的手段によってデータをコピーし、ディスク（disc）はレーザ手段によって光学的にデータをコピーする。上記の組合わせも、コンピュータ可読媒体の保護範囲に包含されるものとする。
【０１４１】
前述の説明は、本発明の具体的な実施形態に過ぎず、本発明の保護範囲を限定するものではない。本発明に開示された技術的範囲内で当業者が容易に想到できる任意の変形又は置換は、本発明の保護範囲に包含されるものとする。したがって、本発明の保護範囲は、特許請求の範囲の保護範囲に従うものとする。
【図１】
2017525237.tif 000006
【図２】
2017525237.tif 000007
【図３】
2017525237.tif 000008
【図４】
2017525237.tif 000009
【図５】
2017525237.tif 000010
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
データ伝送装置であって、
スケジューリング制御チャネル長情報を受信するように構成される受信ユニットであって、前記スケジューリング制御チャネル長情報は、スケジューリング制御チャネルによって占用される物理リソース単位の数を含み、前記スケジューリング制御チャネルは、前記データ伝送装置にリソース割当情報が送信される用いられる制御チャネルである、受信ユニットと、
所定の探索空間において、前記受信ユニットによって受信された前記スケジューリング制御チャネル長情報に従って、ブラインド検出を実行し、前記スケジューリング制御チャネル長情報に対応する前記スケジューリング制御チャネルを検出した後、前記スケジューリング制御チャネルで搬送される前記リソース割当情報を取得するように構成される処理ユニットであって、前記所定の探索空間は、前記リソース割当情報の搬送に用いられる探索空間である、処理ユニットと、
を備えるデータ伝送装置。
【請求項２】
前記受信ユニットは更に、所定の探索空間構成情報を受信するように構成され、
前記所定の探索空間構成情報は前記所定の探索空間の位置情報を含み、前記所定の探索空間の前記位置情報は、前記所定の探索空間によって占用される時間周波数リソースを示すために用いられる、
請求項１に記載の装置。
【請求項３】
前記受信ユニットによって受信される前記所定の探索空間構成情報は更に、前記所定の探索空間のカテゴリ情報を含み、
前記所定の探索空間の前記カテゴリ情報は、前記所定の探索空間のカテゴリを示すために用いられ、前記所定の探索空間の前記カテゴリは、公衆探索空間、専用探索空間又はグループ専用探索空間を含む、
請求項２に記載の装置。
【請求項４】
前記受信ユニットによって受信される前記所定の探索空間構成情報が更に、前記所定の探索空間のカテゴリ情報を含み、且つ、前記所定の探索空間の前記カテゴリ情報が、前記所定の探索空間がグループ専用探索空間であることを示すとき、前記所定の探索空間構成情報は更に、所定のサブフレームの識別情報を含み、
前記所定のサブフレームの前記識別情報は、前記スケジューリング制御チャネルを搬送するサブフレームを示すのに用いられ、
前記処理ユニットは更に、前記受信ユニットによって受信された前記所定のサブフレームの前記識別情報に従って、前記所定のサブフレームの前記所定の探索空間において、前記スケジューリング制御チャネル長情報に従って、ブラインド検出を実行するように構成される、
請求項２に記載の装置。
【請求項５】
前記受信ユニットによって受信される前記スケジューリング制御チャネル長情報は、
前記スケジューリング制御チャネルによって占用されるチャネル制御エレメント（ＣＣＥ）の数と、
前記スケジューリング制御チャネルによって占用されるサブキャリアの数と、
前記スケジューリング制御チャネルによって占用される物理シンボルの数と、
前記スケジューリング制御チャネルに対応するスケジューリング制御チャネル長と、
のうちの１つである、
請求項１乃至４のいずれか一項に記載の装置。
【請求項６】
前記処理ユニットは、前記所定の探索空間において、前記スケジューリング制御チャネル長情報によって示される、前記スケジューリング制御チャネルによって占用される前記物理リソース単位の数に従って、連続したｋ個の物理リソース単位を１つのスケジューリング制御チャネルとして用い、所定のデスクランブル識別子に従って、前記所定の探索空間内の前記スケジューリング制御チャネルで搬送される前記リソース割当情報をデスクランブルするように構成され、
前記所定のデスクランブル識別子は、前記リソース割当情報に対して実行されるスクランブル処理に対応するデスクランブル識別子であり、ｋは前記スケジューリング制御チャネルによって占用される前記物理リソース単位の数であり、前記所定の探索空間内のｉ番目のスケジューリング制御チャネルで搬送されるリソース割当情報が正確にデスクランブルされた場合、前記リソース割当情報は第１の装置に送信されるリソース割当情報であり、前記ｉ番目のスケジューリング制御チャネルは前記スケジューリング制御チャネルであり、ｉは０よりも大きい整数である、
請求項１乃至４のいずれか一項に記載の装置。
【請求項７】
データ伝送装置であって、
スケジューリング制御チャネル長情報を取得するように構成される処理ユニットであって、前記スケジューリング制御チャネル長情報は、スケジューリング制御チャネルによって占用される物理リソース単位の数を含み、前記スケジューリング制御チャネルは、第１の装置にリソース割当情報が送信されるときに用いられる制御チャネルである、処理ユニットと、
前記処理ユニットによって取得された前記スケジューリング制御チャネル長情報を送信するように構成される送信ユニットと、
を備え、
前記処理ユニットは、取得された前記スケジューリング制御チャネル長情報に従って、前記スケジューリング制御チャネルの長さを構成するように構成され、
前記送信ユニットは、前記処理ユニットが前記スケジューリング制御チャネルの長さ構成を完了した後に、前記第１の装置に前記スケジューリング制御チャネルを送信するように構成される、
データ伝送装置。
【請求項８】
前記送信ユニットは更に、所定の探索空間構成情報を送信するように構成され、
前記所定の探索空間構成情報は所定の探索空間の位置情報を含み、前記所定の探索空間の前記位置情報は、前記所定の探索空間によって占用される時間周波数リソースを示すために用いられる、
請求項７に記載の装置。
【請求項９】
前記送信ユニットによって送信される前記所定の探索空間構成情報は更に、前記所定の探索空間のカテゴリ情報を含み、
前記所定の探索空間の前記カテゴリ情報は、前記所定の探索空間のカテゴリを示すために用いられ、前記所定の探索空間の前記カテゴリは、公衆探索空間、専用探索空間又はグループ専用探索空間を含む、
請求項８に記載の装置。
【請求項１０】
前記処理ユニットによって取得された前記スケジューリング制御チャネル長情報は、
前記スケジューリング制御チャネルによって占用されるチャネル制御エレメント（ＣＣＥ）の数と、
前記スケジューリング制御チャネルによって占用されるサブキャリアの数と、
前記スケジューリング制御チャネルによって占用される物理シンボルの数と、
前記スケジューリング制御チャネルに対応するスケジューリング制御チャネル長と、
のうちの１つである、
請求項７乃至９のいずれか一項に記載の装置。
【請求項１１】
第１の装置が、スケジューリング制御チャネル長情報を受信するステップであって、前記スケジューリング制御チャネル長情報は、スケジューリング制御チャネルによって占用される物理リソース単位の数を含み、前記スケジューリング制御チャネルは、前記第１の装置にリソース割当情報が送信されるときに用いられる制御チャネルである、ステップと、
前記第１の装置が、所定の探索空間において、前記スケジューリング制御チャネル長情報に従って、ブラインド検出を実行するステップと、
前記スケジューリング制御チャネル長情報に対応する前記スケジューリング制御チャネルを検出した後、前記第１の装置が、前記スケジューリング制御チャネルで搬送される前記リソース割当情報を取得するステップであって、前記所定の探索空間は、前記リソース割当情報の搬送に用いられる探索空間である、ステップと、
を含む、データ伝送方法。
【請求項１２】
第１の装置がスケジューリング制御チャネル長情報を受信する前記ステップの前に、
前記第１の装置が、所定の探索空間構成情報を受信するステップであって、前記所定の探索空間構成情報は前記所定の探索空間の位置情報を含み、前記所定の探索空間の前記位置情報は、前記所定の探索空間によって占用される時間周波数リソースを示すために用いられる、ステップ、
を更に含む、請求項１１に記載の方法。
【請求項１３】
前記所定の探索空間構成情報は更に、前記所定の探索空間のカテゴリ情報を含み、
前記所定の探索空間の前記カテゴリ情報は、前記所定の探索空間のカテゴリを示すために用いられ、前記所定の探索空間の前記カテゴリは、公衆探索空間、専用探索空間又はグループ専用探索空間を含む、
請求項１２に記載の方法。
【請求項１４】
前記第１の装置によって受信される前記所定の探索空間構成情報が更に、前記所定の探索空間のカテゴリ情報を含み、且つ、前記所定の探索空間の前記カテゴリ情報が、前記所定の探索空間がグループ専用探索空間であることを示すとき、前記所定の探索空間構成情報は更に、所定のサブフレームの識別情報を含み、前記所定のサブフレームの前記識別情報は、前記スケジューリング制御チャネルを搬送するサブフレームを示すのに用いられ、
前記第１の装置が、所定の探索空間において、前記スケジューリング制御チャネル長情報に従って、ブラインド検出を実行する前記ステップは、
前記第１の装置が、前記所定のサブフレームの前記識別情報に従って、前記所定のサブフレームの前記所定の探索空間において、前記スケジューリング制御チャネル長情報に従って、ブラインド検出を実行するステップ、
を含む、請求項１２に記載の方法。
【請求項１５】
前記スケジューリング制御チャネル長情報は、
前記スケジューリング制御チャネルによって占用されるチャネル制御エレメント（ＣＣＥ）の数と、
前記スケジューリング制御チャネルによって占用されるサブキャリアの数と、
前記スケジューリング制御チャネルによって占用される物理シンボルの数と、
前記スケジューリング制御チャネルに対応するスケジューリング制御チャネル長と、
のうちの１つである、
請求項１１乃至１４のいずれか一項に記載の方法。
【請求項１６】
前記第１の装置が、所定の探索空間において、前記スケジューリング制御チャネル長情報に従って、ブラインド検出を実行する前記ステップは、
前記第１の装置が、前記所定の探索空間において、前記スケジューリング制御チャネル長情報によって示される、前記スケジューリング制御チャネルによって占用される前記物理リソース単位の数に従って、連続したｋ個の物理リソース単位を１つのスケジューリング制御チャネルとして用い、所定のデスクランブル識別子に従って、前記所定の探索空間内の前記スケジューリング制御チャネルで搬送される前記リソース割当情報をデスクランブルするステップであって、前記所定のデスクランブル識別子は、前記リソース割当情報に対して実行されるスクランブル処理に対応するデスクランブル識別子であり、ｋは前記スケジューリング制御チャネルによって占用される前記物理リソース単位の数である、ステップ、
を含み、
前記第１の装置により、前記所定の探索空間内のｉ番目のスケジューリング制御チャネルで搬送されるリソース割当情報が正確にデスクランブルされた場合、前記リソース割当情報は前記第１の装置に送信されるリソース割当情報であり、前記ｉ番目のスケジューリング制御チャネルは前記スケジューリング制御チャネルであり、ｉは０よりも大きい整数である、
請求項１１乃至１４のいずれか一項に記載の方法。
【請求項１７】
第２の装置が、スケジューリング制御チャネル長情報を送信するステップであって、前記スケジューリング制御チャネル長情報は、スケジューリング制御チャネルによって占用される物理リソース単位の数を含み、前記スケジューリング制御チャネルは、第１の装置にリソース割当情報が送信されるときに用いられる制御チャネルである、ステップと、
前記第２の装置が、前記スケジューリング制御チャネル長情報に従って、前記第１の装置に前記スケジューリング制御チャネルを送信するステップと、
を含むデータ伝送方法。
【請求項１８】
第２の装置がスケジューリング制御チャネル長情報を送信する前記ステップの前に、
前記第２の装置が、所定の探索空間構成情報を送信するステップであって、前記所定の探索空間構成情報は所定の探索空間の位置情報を含み、前記所定の探索空間の前記位置情報は、前記所定の探索空間によって占用される時間周波数リソースを示すために用いられる、ステップ、
を更に含む、請求項１７に記載の方法。
【請求項１９】
前記所定の探索空間構成情報は更に、前記所定の探索空間のカテゴリ情報を含み、
前記所定の探索空間の前記カテゴリ情報は、前記所定の探索空間のカテゴリを示すために用いられ、前記所定の探索空間の前記カテゴリは、公衆探索空間、専用探索空間又はグループ専用探索空間を含む、
請求項１８に記載の方法。
【請求項２０】
前記スケジューリング制御チャネル長情報は、
前記スケジューリング制御チャネルによって占用されるチャネル制御エレメント（ＣＣＥ）の数と、
前記スケジューリング制御チャネルによって占用されるサブキャリアの数と、
前記スケジューリング制御チャネルによって占用される物理シンボルの数と、
前記スケジューリング制御チャネルに対応するスケジューリング制御チャネル長と、
のうちの１つである、
請求項１７乃至１９のいずれか一項に記載の方法。
【手続補正２】
【補正対象書類名】明細書
【補正対象項目名】００３３
【補正方法】変更
【補正の内容】
【００３３】
本発明の本実施形態で提供されるデータ伝送装置によれば、データ伝送装置についての情報が受信される。スケジューリング制御チャネル長に従って所定の探索空間内でブラインド検出を行うことにより、リソース割当情報を受信することができ、別のスケジューリング制御チャネル長に従って所定の探索空間内で再びブラインド検出を行う必要はない。したがって、データ伝送装置によって実行されるブラインド検出の回数が低減され、よって、データ伝送装置のブラインド検出効率が向上し、データ送信装置によりブラインド検出で消費される電力が低減される。
【国際調査報告】
2017525237.tif 000011
2017525237.tif 000012
2017525237.tif 000013
2017525237.tif 000014